(57)【要約】【課題】石炭乾燥手段出口の調湿炭が過乾燥や水分過剰の状態にならず、さらにエネルギーロスも無い石炭調湿設備及び方法を提供する。【解決手段】  石炭乾燥手段と、該石炭乾燥手段に搬入される石炭の質量を計測する手段Ａと、前記石炭乾燥手段から搬出される石炭の質量を計測する手段Ｂと、前記石炭乾燥手段に搬入される石炭の水分含有量を計測する手段Ｃと、前記石炭乾燥手段から搬出される石炭の水分含有量を計測する手段Ｄと、該手段Ｄにより計測された、前記石炭乾燥手段から搬出される石炭の水分含有量が所定の範囲を下回った場合に、前記石炭乾燥手段から搬出された石炭に乾燥前の石炭を混合することで、該混合後の石炭の水分含有量を前記所定の範囲の水分含有量とする場合の、前記混合する乾燥前の石炭質量を算出する手段Ｅと、該手段Ｅにより算出された量の石炭を前記石炭乾燥手段から搬出される石炭に混合する手段Ｆとを備える。【選択図】図１
2006152153.tif 000002
【特許請求の範囲】
【請求項１】
石炭の乾燥を行う石炭乾燥手段と、
該石炭乾燥手段に搬入される石炭の質量を計測する搬入石炭質量計測手段と、
前記石炭乾燥手段から搬出される石炭の質量を計測する搬出石炭質量計測手段と、
前記石炭乾燥手段に搬入される石炭の水分含有量を計測する搬入石炭水分含有量計測手段と、
前記石炭乾燥手段から搬出される石炭の水分含有量を計測する搬出石炭水分含有量計測手段と、
該搬出石炭水分含有量計測手段により計測された、前記石炭乾燥手段から搬出される石炭の水分含有量が目標とする所定の範囲を下回った場合に、前記石炭乾燥手段から搬出された石炭に乾燥前の石炭を混合することで、該混合後の石炭の水分含有量を前記目標とする所定の範囲の水分含有量とする場合の、前記混合する乾燥前の石炭質量を算出する混合石炭質量算出手段と、
該混合石炭質量算出手段により算出された量の石炭を前記石炭乾燥手段から搬出される石炭に混合する石炭混合手段と
を備えたことを特徴とする石炭調湿設備。
【請求項２】
石炭の乾燥を行う石炭乾燥手段と、
該石炭乾燥手段に搬入される石炭の質量を計測する搬入石炭質量計測手段と、
前記石炭乾燥手段から搬出される石炭の質量を計測する搬出石炭質量計測手段と、
前記石炭乾燥手段に搬入される石炭の水分含有量を計測する搬入石炭水分含有量計測手段と、
前記石炭乾燥手段から搬出される石炭の水分含有量を算出する搬出石炭水分含有量算出手段と、
該搬出石炭水分含有量算出手段により算出された、前記石炭乾燥手段から搬出される石炭の水分含有量が目標とする所定の範囲を下回った場合に、前記石炭乾燥手段から搬出された石炭に乾燥前の石炭を混合することで、該混合後の石炭の水分含有量を前記目標とする所定の範囲の水分含有量とする場合の、前記混合する乾燥前の石炭質量を算出する混合石炭質量算出手段と、
該混合石炭質量算出手段により算出された量の石炭を前記石炭乾燥手段から搬出される石炭に混合する石炭混合手段と
を備えたことを特徴とする石炭調湿設備。
【請求項３】
石炭の乾燥を行う石炭乾燥工程と、
該石炭乾燥工程に搬入される石炭の質量を計測する搬入石炭質量計測工程と、
前記石炭乾燥工程から搬出される石炭の質量を計測する搬出石炭質量計測工程と、
前記石炭乾燥工程に搬入される石炭の水分含有量を計測する搬入石炭水分含有量計測工程と、
前記石炭乾燥工程から搬出される石炭の水分含有量を計測する搬出石炭水分含有量計測工程と、
該搬出石炭水分含有量計測工程で計測された、前記石炭乾燥工程から搬出される石炭の水分含有量が目標とする所定の範囲を下回った場合に、前記石炭乾燥工程から搬出された石炭に乾燥前の石炭を混合することで、該混合後の石炭の水分含有量を前記目標とする所定の範囲の水分含有量とする場合の、前記混合する乾燥前の石炭質量を算出する混合石炭質量算出工程と、
該混合石炭質量算出工程により算出された量の石炭を前記石炭乾燥工程から搬出される石炭に混合する石炭混合工程と
を備えたことを特徴とする石炭調湿方法。
【請求項４】
石炭の乾燥を行う石炭乾燥工程と、
該石炭乾燥工程に搬入される石炭の質量を計測する搬入石炭質量計測工程と、
前記石炭乾燥工程から搬出される石炭の質量を計測する搬出石炭質量計測工程と、
前記石炭乾燥工程に搬入される石炭の水分含有量を計測する搬入石炭水分含有量計測工程と、
前記石炭乾燥工程から搬出される石炭の水分含有量を算出する搬出石炭水分含有量算出工程と、
該搬出石炭水分含有量算出工程で算出された、前記石炭乾燥工程から搬出される石炭の水分含有量が目標とする所定の範囲を下回った場合に、前記石炭乾燥工程から搬出された石炭に乾燥前の石炭を混合することで、該混合後の石炭の水分含有量を前記目標とする所定の範囲の水分含有量とする場合の、前記混合する乾燥前の石炭質量を算出する混合石炭質量算出工程と、
該混合石炭質量算出工程により算出された量の石炭を前記石炭乾燥工程から搬出される石炭に混合する石炭混合工程と
を備えたことを特徴とする石炭調湿方法。
【発明の詳細な説明】
【技術分野】
【０００１】
本発明は、コークス炉に装入する原料炭を事前に調湿する石炭調湿設備及び石炭調湿方法に関する。
【背景技術】
【０００２】
コークス炉の操業においては、従来から湿炭を、例えば石炭乾燥ドライヤ等で乾燥し、水分量を調整した後、コークス炉に装入するようにしている。湿炭を乾燥し、水分量を調整した後、コークス炉に装入する主な利点としては次の３点が挙げられる。
（１）コークス炉より熱交換効率が高い石炭乾燥ドライヤ（但し石炭の乾留はできない）で湿炭の水分を蒸発、予熱し、水分量の調整を行った調湿炭をコークス炉に装入したほうが、湿炭を直接コークス炉に装入して乾留する方法より総乾留所要熱量が低減できる。
（２）石炭の水分量を調整することで、コークス炉炭化室内部での水分バラツキが低減でき、総乾留熱量の削減が可能となる。
（３）石炭の水分量を調整することにより、コークス炉炭化室内で石炭の嵩密度が向上し、石炭粒子間の距離が小さくなり、乾留過程における石炭粒子間の接着が容易になり、コークス品質、例えば、冷間強度や熱間強度等が向上する。
【０００３】
ここで、コークス炉に装入する石炭の水分量は、低ければ低いほどよいというものではなく、目標となる適切な水分量の範囲が存在する。コークス炉に装入する前の湿炭を目標の水分量まで乾燥させ調湿する理由は以下のとおりである。
（イ）コークス炉に装入される石炭の水分量が低いほど、前記の乾留熱量低減効果、および  コークス品質向上効果は大きい。
（ロ）ところが、コークス炉へ装入する石炭の水分量が低いほど、輸送過程やコークス炉への装入時の発塵及びコークス炉炭化室や上昇管へのカーボン付着などの操業上の障害も増大する。
（ハ）また、コークス炉へ装入する石炭の水分量が低いほど、副生成物であるタール中のＱＩ（キノリン不溶物）の量も増大し、化成品としの価値低下につながる。
【０００４】
上述の利点と欠点を勘案して、適切な石炭水分量で操業することが必要となるため、コークス炉の操業においては、調湿炭目標水分量に水分値を制御できるように石炭乾燥ドライヤへの投入熱量の調整が行われている。
【０００５】
しかし、石炭の水分量の調整を行う前記石炭乾燥ドライヤにおいては、ドライヤの立ち上げ、立ち下げ時や、石炭銘柄変更時に石炭処理量が短時間で大きく変動するが、この場合に石炭ドライヤの乾燥機の投入熱量制御では調湿炭水分量制御が追従せず、過乾燥になる。
【０００６】
この問題を解決する手段として、例えば、特開平９−１０４８７０号公報（特許文献１）には、石炭調湿設備ドライヤの出口における調湿炭の水分量を水分計で測定し、さらに湿炭の水分やドライヤの処理量の変化に応じ、過乾燥となった調湿炭に散水を行ない、水分量の調整を行う方法が記載されている。
【特許文献１】特開平９−１０４８７０号公報
【発明の開示】
【発明が解決しようとする課題】
【０００７】
しかし、上記特許文献１に記載されているような、ドライヤ出口調湿炭に散水する方法では、局部的に散水量が過剰になったり過少になるため、調湿炭の水分が目標水分に対し、過少もしくは過大となっていた。
【０００８】
散水量が過少、つまり過乾燥の場合、石炭輸送時やコークス炉への石炭装入時の発塵が大きく、環境上問題となるため、集塵設備の増設などが必要となり、設備費、運転費用の増大が問題となる。また、石炭水分量が過大となった場合、石炭輸送過程の乗り継ぎ部（シュ−ト）で閉塞が発生など、メンテナンス上及び安全上の問題となっている。
【０００９】
また、一度ドライヤで熱源を用い乾燥した調湿炭に、散水し、水分調整（加水）する前記の方法では、乾燥に要した熱源の一部が無駄になってしまい、エネルギーロスにも繋がり、運転コストも増大する。
【００１０】
本発明は上記課題を解決するためになされたもので、ドライヤ出口の調湿炭が過乾燥や水分過剰の状態にならず、さらに調湿炭への散水によるエネルギーロスも無い石炭調湿設備及び石炭調湿方法を提供することを目的とする。
【課題を解決するための手段】
【００１１】
上記課題を解決するために、本発明は以下のような特徴を有する。
［１］石炭の乾燥を行う石炭乾燥手段と、
該石炭乾燥手段に搬入される石炭の質量を計測する搬入石炭質量計測手段と、
前記石炭乾燥手段から搬出される石炭の質量を計測する搬出石炭質量計測手段と、
前記石炭乾燥手段に搬入される石炭の水分含有量を計測する搬入石炭水分含有量計測手段と、
前記石炭乾燥手段から搬出される石炭の水分含有量を計測する搬出石炭水分含有量計測手段と、
該搬出石炭水分含有量計測手段により計測された、前記石炭乾燥手段から搬出される石炭の水分含有量が目標とする所定の範囲を下回った場合に、前記石炭乾燥手段から搬出された石炭に乾燥前の石炭を混合することで、該混合後の石炭の水分含有量を前記目標とする所定の範囲の水分含有量とする場合の、前記混合する乾燥前の石炭質量を算出する混合石炭質量算出手段と、
該混合石炭質量算出手段により算出された量の石炭を前記石炭乾燥手段から搬出される石炭に混合する石炭混合手段と
を備えたことを特徴とする石炭調湿設備。
［２］石炭の乾燥を行う石炭乾燥手段と、
該石炭乾燥手段に搬入される石炭の質量を計測する搬入石炭質量計測手段と、
前記石炭乾燥手段から搬出される石炭の質量を計測する搬出石炭質量計測手段と、
前記石炭乾燥手段に搬入される石炭の水分含有量を計測する搬入石炭水分含有量計測手段と、
前記石炭乾燥手段から搬出される石炭の水分含有量を算出する搬出石炭水分含有量算出手段と、
該搬出石炭水分含有量算出手段により算出された、前記石炭乾燥手段から搬出される石炭の水分含有量が目標とする所定の範囲を下回った場合に、前記石炭乾燥手段から搬出された石炭に乾燥前の石炭を混合することで、該混合後の石炭の水分含有量を前記目標とする所定の範囲の水分含有量とする場合の、前記混合する乾燥前の石炭質量を算出する混合石炭質量算出手段と、
該混合石炭質量算出手段により算出された量の石炭を前記石炭乾燥手段から搬出される石炭に混合する石炭混合手段と
を備えたことを特徴とする石炭調湿設備。
［３］石炭の乾燥を行う石炭乾燥工程と、
該石炭乾燥工程に搬入される石炭の質量を計測する搬入石炭質量計測工程と、
前記石炭乾燥工程から搬出される石炭の質量を計測する搬出石炭質量計測工程と、
前記石炭乾燥工程に搬入される石炭の水分含有量を計測する搬入石炭水分含有量計測工程と、
前記石炭乾燥工程から搬出される石炭の水分含有量を計測する搬出石炭水分含有量計測工程と、
該搬出石炭水分含有量計測工程で計測された、前記石炭乾燥工程から搬出される石炭の水分含有量が目標とする所定の範囲を下回った場合に、前記石炭乾燥工程から搬出された石炭に乾燥前の石炭を混合することで、該混合後の石炭の水分含有量を前記目標とする所定の範囲の水分含有量とする場合の、前記混合する乾燥前の石炭質量を算出する混合石炭質量算出工程と、
該混合石炭質量算出工程により算出された量の石炭を前記石炭乾燥工程から搬出される石炭に混合する石炭混合工程と
を備えたことを特徴とする石炭調湿方法。
［４］石炭の乾燥を行う石炭乾燥工程と、
該石炭乾燥工程に搬入される石炭の質量を計測する搬入石炭質量計測工程と、
前記石炭乾燥工程から搬出される石炭の質量を計測する搬出石炭質量計測工程と、
前記石炭乾燥工程に搬入される石炭の水分含有量を計測する搬入石炭水分含有量計測工程と、
前記石炭乾燥工程から搬出される石炭の水分含有量を算出する搬出石炭水分含有量算出工程と、
該搬出石炭水分含有量算出工程で算出された、前記石炭乾燥工程から搬出される石炭の水分含有量が目標とする所定の範囲を下回った場合に、前記石炭乾燥工程から搬出された石炭に乾燥前の石炭を混合することで、該混合後の石炭の水分含有量を前記目標とする所定の範囲の水分含有量とする場合の、前記混合する乾燥前の石炭質量を算出する混合石炭質量算出工程と、
該混合石炭質量算出工程により算出された量の石炭を前記石炭乾燥工程から搬出される石炭に混合する石炭混合工程と
を備えたことを特徴とする石炭調湿方法。
【発明の効果】
【００１２】
本発明によれば、石炭乾燥手段出口の調湿炭が過乾燥や水分過剰の状態にならず、さらに調湿炭への散水によるエネルギーロスも無い石炭調湿設備及び石炭調湿方法が提供される。
【発明を実施するための最良の形態】
【００１３】
以下、本発明を実施するための最良の形態の一例を説明する。
【００１４】
図１は、本発明に係る石炭調湿設備の一例を示す概略構成図である。図１に示す石炭調湿設備１は、石炭の乾燥を行う石炭乾燥手段２と、該石炭乾燥手段２に搬入される石炭の質量を計測する搬入石炭質量計測手段３と、前記石炭乾燥手段２から搬出される石炭の質量を計測する搬出石炭質量計測手段４と、前記石炭乾燥手段２に搬入される石炭の水分含有量を計測する搬入石炭水分含有量計測手段５と、前記石炭乾燥手段２から搬出される石炭の水分含有量を計測する搬出石炭水分含有量計測手段６と、該搬出石炭水分含有量計測手段６により計測された、前記石炭乾燥手段２から搬出される石炭の水分含有量が目標とする所定の範囲を下回った場合に、前記石炭乾燥手段２から搬出された石炭に乾燥前の石炭を混合することで、該混合後の石炭の水分含有量を前記目標とする所定の範囲の水分含有量とする場合の、前記混合する乾燥前の石炭質量を算出する混合石炭質量算出手段７と、該混合石炭質量算出手段７により算出された量の石炭を前記石炭乾燥手段２から搬出される石炭に混合する石炭混合手段８とを備えるものである。
【００１５】
以下、上記各手段について説明する。
【００１６】
［石炭乾燥手段２］
この石炭乾燥手段２では、搬入されて来た石炭の水分含有量を目標とする所定の範囲内とするように乾燥が行われる。
【００１７】
前記石炭乾燥手段２としては、例えば、石炭乾燥ドライヤを用いることができる。ここでは、前記石炭乾燥ドライヤへの投入熱量を調整することで、目標とする所定の範囲内の水分含有量となるように制御が行われる。前記目標とする水分含有量は、例えば、６〜７質量％程度に調整される。なお、前記石炭乾燥手段２で乾燥された後の石炭を、以下では「調湿炭」と記す。また、前記石炭乾燥手段２で乾燥される前の、水分含有量が前記調湿炭より多い石炭を、以下では「湿炭」と記す。
【００１８】
［搬入石炭質量計測手段３］
この搬入石炭質量計測手段３では、前記石炭乾燥手段２に搬入される石炭（湿炭）の質量を計測する。湿炭の質量の計測は、例えば、前記石炭乾燥手段２に湿炭を搬入するベルトコンベア９に設けたベルトスケール３により計測することができる。
【００１９】
［搬出石炭質量計測手段４］
この搬出石炭質量計測手段４では、前記石炭乾燥手段２から搬出される石炭（調湿炭）の質量を計測する。調湿炭の質量の計測は、例えば、前記石炭乾燥手段２から調湿炭を搬出するベルトコンベア１０に設けたベルトスケール４により計測することができる。
【００２０】
［搬入石炭水分含有量計測手段５］
この搬入石炭水分含有量計測手段５では、前記石炭乾燥手段２に搬入される石炭（湿炭）の水分含有量を計測する。湿炭の水分含有量の計測は、例えば、前記石炭乾燥手段２に湿炭を搬入するベルトコンベア９上の湿炭の水分含有量を計測できる水分計５により計測することができる。なお、ベルトコンベア９上に水分計５を設けるかわりに、事前に湿炭の水分含有量を測っておき、その値を用いるようにしてもよい。
【００２１】
［搬出石炭水分含有量計測手段６］
この搬出石炭水分含有量計測手段６では、前記石炭乾燥手段２から搬出される石炭（調湿炭）の水分含有量を計測する。調湿炭の水分含有量の計測は、例えば、前記石炭乾燥手段２から調湿炭を搬出するベルトコンベア１０上の調湿炭の水分含有量を計測できる水分計６により計測することができる。
【００２２】
また、この搬出石炭水分含有量計測手段６のかわりに、下記搬出石炭水分含有量算出手段６ａとすることもできる。なお、この搬出石炭水分含有量算出手段６ａは、前記石炭乾燥手段２から搬出される石炭（調湿炭）の水分含有量を計測する搬出石炭水分含有量計測手段６が設置されていない場合、或いは、前記搬出石炭水分含有量計測手段６が設置されている場合でも石炭乾燥手段２から搬出される調湿炭より発生する湯気等により前記搬出石炭水分含有量計測手段６による調湿炭の水分含有量の計測が安定して行えないような場合に用いられる。以下、この搬出石炭水分含有量算出手段６ａを説明する。
【００２３】
［搬出石炭水分含有量算出手段６ａ］
この搬出石炭水分含有量算出手段６ａでは、前記石炭乾燥手段２から搬出される調湿炭の水分含有量を、前記搬入石炭質量計測手段３により計測される石炭乾燥手段２に搬入される湿炭の搬入質量Ａと、前記搬出石炭質量計測手段４により計測される石炭乾燥手段２から搬出される調湿炭の搬出質量Ｂと、前記搬入石炭水分含有量計測手段５により計測される石炭乾燥手段２に搬入される湿炭の水分含有量Ｃとから、次式（１）により算出する。
石炭乾燥手段２から搬出される調湿炭の水分含有量＝１００×（１−（湿炭の搬入質量Ａ／調湿炭の搬出質量Ｂ）×（１−湿炭の水分含有量Ｃ／１００））・・・（１）
［混合石炭質量算出手段７］
この混合石炭質量算出手段７では、前記搬出石炭水分含有量計測手段６により計測された、前記石炭乾燥手段２から搬出される石炭（調湿炭）の水分含有量が目標とする所定の範囲を下回った場合に、前記石炭乾燥手段２から搬出された石炭に乾燥前の石炭（湿炭）を混合することで、該混合後の石炭の水分含有量を前記目標とする所定の範囲の水分含有量とする場合の、前記混合する乾燥前の石炭（湿炭）の質量を算出する。
【００２４】
また、この混合石炭質量算出手段７では、前記搬出石炭水分含有量算出手段６ａにより算出された、前記石炭乾燥手段２から搬出される石炭（調湿炭）の水分含有量が目標とする所定の範囲を下回った場合に、前記石炭乾燥手段２から搬出された石炭に乾燥前の石炭（湿炭）を混合することで、該混合後の石炭の水分含有量を前記目標とする所定の範囲の水分含有量とする場合の、前記混合する乾燥前の石炭（湿炭）の質量を算出するようにしてもよい。
【００２５】
ここで、前記調湿炭の目標とする水分含有量を下回った場合とは、前記目標とする水分含有量が、例えば、６〜７質量％の場合には、その−１％の範囲を下回った場合、つまり、５質量％を下回って過乾燥になったと判断された場合をいう。なお、どのような範囲を下回った場合に過乾燥になったと判断するかは、コークス炉の設備性能や操業条件等により総合的に判断されて決定される。
【００２６】
前記目標とする水分含有量に対して、調湿炭が過乾燥になったと判断された場合には、前記石炭乾燥手段２から搬出された過乾燥の調湿炭に、湿炭を混合することで、混合後の調湿炭の水分含有量を、前記目標とする水分含有量の、例えば、±０．５％以内に調整できるように混合する湿炭の質量を算出する。なお、前記±０．５％以内という数値は、コークス炉の設備性能や操業条件等により総合的に判断されて決定される。
【００２７】
ここで、前記混合する湿炭の質量は、前記搬出石炭質量計測手段４により計測された調湿炭の搬出質量Ｂと、前記目標とする水分含有量Ｄと、前記搬出石炭水分含有量計測手段６により計測された調湿炭の水分含有量Ｅと、前記搬入石炭水分含有量計測手段５により計測された湿炭の水分含有量Ｆとを用いて、次式（２）で表すことができる。
混合する湿炭の質量＝調湿炭の搬出質量Ｂ×（目標とする水分含有量Ｄ−調湿炭の水分含有量Ｅ）／（湿炭の水分含有量Ｆ−目標とする水分含有量Ｄ）・・・（２）
［石炭混合手段８］
この石炭混合手段８では、前記混合石炭質量算出手段７により算出された量の石炭、つまり、上式（２）で求めた質量分の湿炭を前記石炭乾燥手段２から搬出される石炭（調湿炭）に混合する。
【００２８】
ここで、前記石炭混合手段８としては、例えば、図１に示すように、貯蔵されている湿炭を所定量切り出すホッパ８ａと、前記ホッパ８ａから切り出された所定量の湿炭を搬送するためのベルトコンベア８ｂと、前記ベルトコンベア８ｂで搬送されてきた湿炭をベルトコンベア１０上の過乾燥の調湿炭に混合する装置８ｃとにより構成することができる。なお、前記ホッパ８ａから切り出される湿炭の質量は、前記ベルトコンベア８ｂに設けたベルトスケール８ｄにより計測するようにしてもよい。この場合、前記ベルトスケール８ｄにより計測量が前記混合石炭質量算出手段７により算出された量となった場合に前記ホッパ８ａからの湿炭の切り出しを停止するようにしてもよい。
【００２９】
また、図２に、本発明に係る石炭調湿設備の他の実施形態の一例を示す。なお、図１と同一の構成には同一の番号を付してその説明を省略する。
【００３０】
図２に示す実施形態における石炭混合手段８０は、ベルトコンベア９から分岐して、石炭乾燥手段２をバイパスし、前記石炭乾燥手段２の出口側でベルトコンベア１０に合流するバイパスライン８０ａと、このバイパスライン８０ａに、前記ベルトコンベア９上の湿炭を振り分ける振り分け装置８０ｂと、前記振り分け装置８０ｂでバイパスライン８０ａに振り分ける湿炭の質量を測定する、前記バイパスライン８０ａに設けられるベルトスケール８０ｃとにより構成される。
【００３１】
前記振り分け装置８０ｂは、前記ベルトスケール８０ｃによる湿炭の振り分け質量が、前記混合石炭質量算出手段７により算出された量となるまで振り分けを行う。前期振り分けられた湿炭は石炭乾燥手段２の出口側のベルトコンベア１０上で過乾燥の調湿炭と混合され、目標とする水分含有量の石炭となるように調整される。なお、前記混合する湿炭は、過乾燥となっている調湿炭の部分に混合されるように、前記バイパスライン８０ａの長さ或いは石炭の搬送スピードが調整される。
【００３２】
なお、前記石炭乾燥手段２から搬出される過乾燥の調湿炭に、湿炭を混合して、目標の水分含有量に調整された混合後の石炭は、その後、コークス炉に装入される。ここで、混合後の石炭は、コークス炉までのベルトコンベア乗り継ぎ部でさらに混合されコークス炉に装入される。また、より混合を良くするために調湿炭と湿炭との合流部に、例えば、ドラムタイプの混合機（図示せず）などを設置しても良い。
【００３３】
以上、本発明に係る石炭調湿設備により、石炭乾燥手段２の立ち上げ、立ち下げ時や、石炭銘柄変更時に石炭処理量が短時間で大きく変動するような石炭乾燥手段２の負荷変動過渡期においても、湿炭を石炭乾燥手段２から搬出される過乾燥の調湿炭に混合して、水分含有量を目標とする所定の範囲内に調整することで、コークス炉に装入される調湿炭の過乾燥や水分過剰を防止し、調湿炭搬送時の発塵、石炭輸送過程の乗り継ぎ部（シュ−ト）での閉塞を解消でき、石炭輸送系の集塵機設置やシュートなどの掃除が不要となる。また、水分量の調整のための散水が必要ないため、石炭水分低減にエネルギーロスが無くなり、従来方法と比較して調湿炭乾燥熱量が約２％削減できるという効果を有する。
【図面の簡単な説明】
【００３４】
【図１】本発明に係る石炭調湿設備の一例を示す概略構成図である。
【図２】本発明に係る石炭調湿設備の他の実施形態の一例を示す概略構成図である。
【符号の説明】
【００３５】
１  石炭調湿設備
２  石炭乾燥手段
３  搬入石炭質量計測手段
４  搬出石炭質量計測手段
５  搬入石炭水分含有量計測手段
６  搬出石炭水分含有量計測手段
６ａ  搬出石炭水分含有量算出手段
７  混合石炭質量算出手段
８，８０  石炭混合手段
８ａ  ホッパ
８ｂ  ベルトコンベア
８ｃ  混合装置
８ｄ  ベルトスケール
８０ａ  バイパスライン
８０ｂ  振り分け装置
８０ｃ  ベルトスケール
９，１０  ベルトコンベア
【図１】
2006152153.tif 000003
【図２】
2006152153.tif 000004